(57)【特許請求の範囲】
【請求項１】
ディスクが収納され周囲が閉塞された袋状のプラスチックシート製のケースを備え、
前記ケースの一方の面にはディスク取り出し用の開封用ラインが形成されたディスク収納体において、
前記ケースの他方の面に接着層が形成され、
前記ケースの他方の面にディスク挿入用の切れ目が形成され、
前記開封用ラインを切断することで前記ケースの一方の面には、ディスクのほぼ全体を露出させる開口と、ディスクの外側に位置する部分を中心として開き前記開口を開閉する開閉片と、前記ディスクの外周部の周方向に間隔をおいた複数のディスク外縁箇所にそれぞれ係止し前記開口の縁から開口の内側に向けて突出する複数の係止片が形成され、
前記複数の係止片はディスクの外側に位置する部分を中心として開閉可能に形成されている、
ことを特徴とするディスク収納体。
【請求項２】
ディスクが収納され周囲が閉塞された袋状のプラスチックシート製のケースを備え、
前記ケースの一方の面にはディスク取り出し用の開封用ラインが形成されたディスク収納体において、
前記ケースの他方の面に接着層が形成され、
前記ケースの他方の面にディスク挿入用の切れ目が形成され、
前記開封用ラインを切断することで前記ケースの一方の面には、ディスクのほぼ全体を露出させる開口と、ディスクの外側に位置する部分を中心として開き前記開口を開閉する複数の開閉片が形成される、
ことを特徴とするディスク収納体。
【請求項３】
前記複数の開閉片は、ディスクの上方箇所を中心として開く上開閉片と、ディスクの下方箇所を中心として開く下開閉片とで構成されている請求項２記載のディスク収納体。
【請求項４】
前記複数の開閉片は、ディスクの左方箇所を中心として開く左開閉片と、ディスクの右方箇所を中心として開く右開閉片で構成されている請求項２記載のディスク収納体。
【請求項５】
前記複数の開閉片は、ディスクの上方箇所を中心として開く上開閉片と、ディスクの下方箇所を中心として開く下開閉片と、ディスクの左方箇所を中心として開く左開閉片と、ディスクの右方箇所を中心として開く右開閉片で構成されている請求項２記載のディスク収納体。
【請求項６】
前記上開閉片と下開閉片は上下方向の寸法が小さく形成されている請求項５記載のディスク収納体。
【請求項７】
前記開封用ラインを切断することで前記ケースの一方の面には、前記ディスクの外周部の周方向に間隔をおいた複数のディスク外縁箇所にそれぞれ係止する複数の係止片が前記開口の縁から開口の内側に向けて突出形成され、これら係止片はディスクの外側に位置する部分を中心として開閉可能に形成されている請求項２，３，４，５または６記載のディスク収納体。
【発明の詳細な説明】
【０００１】
【産業上の利用分野】
本発明はコンパクトディスクを収納するディスク収納体に関し、更に詳細には、本を構成する紙に貼着されて好適なディスク収納体に関する。
【０００２】
【従来の技術】
コンパクトディスクは、一般に円盤状を呈し、その中心にスピンドル等が嵌合するための中央孔が形成され、裏面に種々の情報が記録されている。
このようなディスクは、近年、ＣＤブック等のような形態をとり、例えば、本を構成する紙の間に収納されて市場に流通し始めつつある。
そして、ＣＤブック等に用いられる種々のディスク収納構造の中で簡便なものとして、本出願人は、実願平５ー３１８８号においてディスク収納体を提案している。
このディスク収納体は、ディスクがプラスチックシートで挟まれ、ディスクのの周囲のプラスチックシート箇所がヒートシールされて形成され、表側のシートの外面には、ディスクを取り出すための開封用ラインが形成され、裏側のシートの外面は本を構成する紙等の表面に接着される。
【０００３】
【発明が解決しようとする課題】
しかしながら、このようなディスク収納体では、ディスクをプラスチックシートで挟み込んだ後、その周囲をヒートシールすることから、販売すべきディスクが決定し供給された後に初めてディスク収納体の製造が可能となる。
すなわち、ディスク収納体自体は複数種類の本で共通に使用可能な部品であるにも拘らず、ディスクが供給されるまでディスク収納体を製造できない。
そのため、一定量をまとめて製造しディスク収納体のコストダウンを図れず、注文後生産のため、ディスク収納体の製造に手間取り迅速に対応することができず、ディスクが供給された後、その都度ヒートシールすることから単価が高くなる問題があった。
また、販売する本の部数が少ない場合には、小回りがきかないという問題もあった。
【０００４】
また、先のディスク収納体では、開封ラインを切断してディスクを取り出す際、ディスクをその厚み方向から、あるいは、厚み方向に対して斜めから取り出すことができず、その面方向にスライドさせてディスク収納体から取り出していた。
そのため、記録情報面であるディスクの裏面が傷付き易いという問題があった。
また、開封ラインの配置如何により、開封ラインの切断時に、ディスク収納体からディスクが落下する虞もあった。
【０００５】
本発明は前記事情に鑑み案出されたものであって、本発明の目的は、ディスクと切り離してディスク収納体のみを製造でき、コストダウンを図ることができるディスク収納体を提供することにある。
また、本発明の目的は、記録情報面であるディスクの裏面に傷を付けることなくディスクを取り出せるディスク収納体を提供することにある。
また、本発明の目的は、開封ラインの切断時に、ディスク収納体からディスクが落下する虞のないディスク収納体を提供することにある。
【０００６】
【課題を解決するための手段】
前記目的を達成するため、本発明は、ディスクが収納され周囲が閉塞された袋状のプラスチックシート製のケースを備え、前記ケースの一方の面にはディスク取り出し用の開封用ラインが形成されたディスク収納体において、前記ケースの他方の面に接着層が形成され、前記ケースの他方の面にディスク挿入用の切れ目が形成され、前記開封用ラインを切断することで前記ケースの一方の面には、ディスクのほぼ全体を露出させる開口と、ディスクの外側に位置する部分を中心として開き前記開口を開閉する開閉片と、前記ディスクの外周部の周方向に間隔をおいた複数のディスク外縁箇所にそれぞれ係止し前記開口の縁から開口の内側に向けて突出する複数の係止片が形成され、前記複数の係止片はディスクの外側に位置する部分を中心として開閉可能に形成されていることを特徴とする。
【０００７】
また、本発明は、ディスクが収納され周囲が閉塞された袋状のプラスチックシート製のケースを備え、前記ケースの一方の面にはディスク取り出し用の開封用ラインが形成されたディスク収納体において、前記ケースの他方の面に接着層が形成され、前記ケースの他方の面にディスク挿入用の切れ目が形成され、前記開封用ラインを切断することで前記ケースの一方の面には、ディスクのほぼ全体を露出させる開口と、ディスクの外側に位置する部分を中心として開き前記開口を開閉する複数の開閉片が形成されることを特徴とする。
また、本発明は、前記複数の開閉片が、ディスクの上方箇所を中心として開く上開閉片と、ディスクの下方箇所を中心として開く下開閉片とで構成されていることを特徴とする。
また、本発明は、前記複数の開閉片が、ディスクの左方箇所を中心として開く左開閉片と、ディスクの右方箇所を中心として開く右開閉片で構成されていることを特徴とする。
また、本発明は、前記複数の開閉片が、ディスクの上方箇所を中心として開く上開閉片と、ディスクの下方箇所を中心として開く下開閉片と、ディスクの左方箇所を中心として開く左開閉片と、ディスクの右方箇所を中心として開く右開閉片で構成されていることを特徴とする。
また、本発明は、前記上開閉片と下開閉片は上下方向の寸法が小さく形成されていることを特徴とする。
また、本発明は、前記開封用ラインを切断することで前記ケースの一方の面には、前記ディスクの外周部の周方向に間隔をおいた複数のディスク外縁箇所にそれぞれ係止する複数の係止片が前記開口の縁から開口の内側に向けて突出形成され、これら係止片はディスクの外側に位置する部分を中心として開閉可能に形成されていることを特徴とする。
【００１２】
【作用】
ディスクをケースの切れ目からケース内に収納でき、ディスクとは別にケースのみを予め量産できる。
また、前記開封用ラインを切断することで前記ケースにディスクのほぼ全体を露出させる開閉片が形成されるようにすると、記録情報面であるディスクの裏面に傷を付けることなくディスクを取り出せる。
また、前記開封用ラインを切断することで前記ケースにディスクの外縁部分を除いた残りのディスク部分を露出させる開閉片が形成されるようにすると、開封ラインの切断時におけるディスクのディスク収納体からの落下を防止できる。
【００１３】
【実施例】
以下、本発明に係るディスク収納体を添付図面に従って説明する。
図１（Ａ）は本発明の第１実施例に係るディスク収納体の表面の平面図、図２（Ａ）は裏面の平面図、図２（Ｂ）は剥離紙が貼着された取着されたディスク収納体の裏面の平面図を示す。
２はディスク収納体、４は円盤状のディスク、４Ａはディスクの中央孔を示す。
ディスク収納体２は、プラスチックシート製の透明な袋状のケース６を備え、図１（Ａ）に示すように、ケース６の表面６０２には開封用ライン８が形成され、図２（Ａ）に示すように、ケース６の裏面６０４には接着層１０が設けられ、図２（Ｂ）に示すように、接着層１０には剥離紙１２が貼着されている。
前記ケース６は矩形状を呈し、二枚の透明なプラスチックシート１４が重ね合わされ、４辺周囲が高周波により直線状に溶着された溶着部１６により閉塞されている。
ディスク４は、図３に示すように、取り出し口１８Ａを有する不織布で作られた袋１８に挿入された状態で、あるいは、不織布と透明なビニールフィルムとで作られた袋１８に挿入された状態で、袋の取り出し口１８Ａを上に向けて前記ケース６内に収納されている。
【００１４】
ケース６を構成するプラスチックシート１４としてはポリプロピレンシートやポリ塩化ビニルシート等が挙げられ、プラスチックシートはプラスチックフィルムを含む。実施例ではプラスチックシート１４としてポリ塩化ビニルシートが用いられている。
二枚のプラスチックシート１４のうち裏側のシート１４には、すなわち、接着層１０が形成されたケース６の裏面６０４には、図２（Ａ）に示すように、ケース６の内部にディスク４を挿入するための切れ目２０が形成されている。
この実施例では、切れ目２０は、シート１４の上部でシート１４の上縁に平行して形成され、その長さは、ディスク４の直径よりも十分に大きな寸法で形成されている。
図２（Ｃ）に示すように、前記剥離紙１２は接着層１０に剥離可能に貼着され、この剥離紙１２にも前記切れ目２０に合致する切れ目２２が形成されている。
【００１５】
また、前記開封用ライン８はケース６に収納されたディスク４を取り出すためのもので、図１（Ａ）に示すように、開封用ライン８は表側のシート１４の上縁寄り部分に、すなわちケース６の表面６０２の上縁寄り部分に形成されている。
開封用ライン８は、ディスク４の上方箇所でケース６の上縁に平行して延在する直線部８０２と、直線部８０２の両端から斜め下方に延在する両側の直線部８０４とで構成され、このような開封用ライン８を切断することでディスク取り出し用の開口２４が形成され、また、両側の直線部８０４の下端間を接続する部分を中心として開閉する開閉片２６が画成される。開封用ライン８は、例えば、高周波等により表側のシート１４の外面を溶かすことで形成され、ミシン目、或は、半焼り切り線（切り込み線）として形成されている。
【００１６】
本実施例は前記のように構成されているので、ディスク４は剥離紙１２の切れ目２２、及びケース６の切れ目２０から、袋１８に挿入された状態で袋１８と共にケース６内に収納される。
そして、剥離紙１２を剥し、接着層１０によりケース６の裏面６０４が、本を構成する紙等に接着される。
尚、ディスク４が収納されたケース６は、三方断裁前の折り丁を構成する紙片に接着してもよく、あるいは、製本された三方断裁後の本の適宜ページに接着してもよい。
ディスク４の取り出しは、開封用ライン８を切断し、開口２４からディスク４を抜き取ることでなされる。
本実施例によれば、販売すべきディスク４が決定される前から、ディスク４とは別にケース６のみを予め量産でき、ディスク収納体２のコストダウンを図ることが可能となり、また、注文後に、その量の多少に拘らず迅速に対応することができる。
また、実施例では、切れ目２２を有する剥離紙１２を用いたので、ディスク４のケース６内への収納もより円滑に行うことができ、コストダウンを図る上で有利となる。
更に、ケース６の切れ目２０はケース６の裏面６０４が紙片または本のページに接着されることで封止されるので、ケース６を接着した後は、開封用ライン８以外からはディスク４を取り出せず、盗難等を防止することが可能となる。
【００１７】
次に、図１（Ｂ），（Ｃ），（Ｄ）、図４乃至図９を参照して開封用ライン８の変形例について説明する。
図１（Ｂ）では、開封用ライン８は、ディスク４の上方箇所でケース６の上縁に平行して延在する直線部８０６と、直線部８０６の両端から斜め上方に延在する両側の直線部８０８とで構成されている。このような開封用ライン８を切断することで開口２４が形成され、また、開閉片２６が形成される。
図１（Ｃ）では、開封用ライン８は、ケース６の左右方向のほぼ中央でかつディスク４の上方箇所において、上方に凸の鈍角状に交叉する二本の直線部８１０で構成されている。このような開封用ライン８を切断することで開口２４が形成され、また、開閉片２６が形成される。
図１（Ｄ）では、開封用ライン８は、ケース６の左右方向のほぼ中央でかつディスク４の上方箇所において、下方に凸の鈍角状に交叉する二本の直線部８１２で構成されている。このような開封用ライン８を切断することで開口２４が形成され、また、開閉片２６が形成される。
【００１８】
図４（Ａ）では、開封用ライン８は、ディスク４の上方箇所で上方に凸の湾曲状に延在する湾曲線部８１４で構成されている。このような開封用ライン８を切断することで開口２４が形成され、また、開閉片２６が形成される。
図４（Ｂ）では、開封用ライン８は、ディスク４の上方箇所で下方に凸の湾曲状に延在する湾曲線部８１６で構成されている。このような開封用ライン８を切断することで開口２４が形成され、また、開閉片２６が形成される。
図４（Ｃ）では、開封用ライン８は、ディスク４の上方箇所で上方に凸の湾曲状に延在する湾曲線部８１８と、湾曲線部８１８の両端から斜め上方に短い長さで延在する直線部８２０とで構成されている。このような開封用ライン８を切断することで開口２４が形成され、また、開閉片２６が形成される。
図４（Ｄ）では、開封用ライン８は、ディスク４の上方箇所で下方に凸の湾曲状に延在する湾曲線部８２２と、湾曲線部８２２の両端から斜め下方に短い長さで延在する直線部８２４とで構成されている。このような開封用ライン８を切断することで開口２４が形成され、また、開閉片２６が形成される。
【００１９】
図５（Ａ）では、開封用ライン８は、ディスク４の上方箇所で上方に凸の二つの頂角が左右に並べらるように４本の直線部８２６が連結されて構成されている。このような開封用ライン８を切断することで開口２４が形成され、また、開閉片２６が形成される。
図５（Ｂ）では、開封用ライン８は、ディスク４の上方箇所で下方に凸の二つの頂角が左右に並べらるように４本の直線部８２８が連結されて構成されている。このような開封用ライン８を切断することで開口２４が形成され、また、開閉片２６が形成される。
図５（Ｃ）では、開封用ライン８は、ディスク４の上方箇所でケース６の上縁に平行して延在する直線部８３０と、直線部８３０の中央において上方に凸の湾曲状に形成された湾曲線部８３２と、直線部８３０の両端から斜め下方に延在する両側の直線部８３４とで構成されている。このような開封用ライン８を切断することで開口２４が形成され、また、開閉片２６が形成され、湾曲線部８３２で囲まれた部分は開閉片２６のつまみとして機能する。
図５（Ｄ）では、開封用ライン８は、ディスク４の上方箇所でケース６の上縁に平行して延在する直線部８３６と、直線部８３６の中央において下方に凸の湾曲状に形成された湾曲線部８３８と、直線部８３６の両端から斜め上方に延在する両側の直線部８４０とで構成されている。このような開封用ライン８を切断することで開口２４が形成され、また、開閉片２６が形成され、湾曲線部８３８で囲まれた部分は開閉片２６のつまみとして機能する。
【００２０】
図６（Ａ）では、開封用ライン８は、ディスク４の左方箇所でケース６の左縁に平行して延在する直線部８４２と、直線部８４２の上下端からそれぞれケース６の右縁に向かって斜め上方と下方に延在する直線部８４４とで構成されている。このような開封用ライン８を切断することで開口２４が形成され、また、開閉片２６が形成される。
図６（Ｂ）では、開封用ライン８は、ディスク４の左方箇所でケース６の左縁に平行して延在する直線部８４６と、直線部８４６の上下端からそれぞれケース６の左縁に向かって斜め上方と下方に延在する直線部８４８とで構成されている。このような開封用ライン８を切断することで開口２４が形成され、また、開閉片２６が形成される。
図６（Ｃ）では、開封用ライン８は、ケース６の上下方向のほぼ中央でかつディスク４の左方箇所において、左方に凸の鈍角状に交叉する二本の直線部８５０で構成されている。このような開封用ライン８を切断することで開口２４が形成され、また、開閉片２６が形成される。
図６（Ｄ）では、開封用ライン８は、ケース６の上下方向のほぼ中央でかつディスク４の左方箇所において、右方に凸の鈍角状に交叉する二本の直線部８５２で構成されている。このような開封用ライン８を切断することで開口２４が形成され、また、開閉片２６が形成される。
【００２１】
図７（Ａ）では、開封用ライン８は、ディスク４の左方箇所で左方に凸の湾曲状に延在する湾曲線部８５４で構成されている。このような開封用ライン８を切断することで開口２４が形成され、また、開閉片２６が形成される。
図７（Ｂ）では、開封用ライン８は、ディスク４の左方箇所で右方に凸の湾曲状に延在する湾曲線部８５６で構成されている。このような開封用ライン８を切断することで開口２４が形成され、また、開閉片２６が形成される。
図７（Ｃ）では、開封用ライン８は、ディスク４の左方箇所で左方に凸の湾曲状に延在する湾曲線部８５８と、湾曲線部８５８の上下端からそれぞれ左方で斜め上方と斜め下方に向かって短い長さで延在する直線部８６０とで構成されている。このような開封用ライン８を切断することで開口２４が形成され、また、開閉片２６が形成される。
図７（Ｄ）では、開封用ライン８は、開封用ライン８は、ディスク４の左方箇所で右方に凸の湾曲状に延在する湾曲線部８６２と、湾曲線部８６２の上下端からそれぞれ右方で斜め上方と斜め下方に向かって短い長さで延在する直線部８６４とで構成されている。このような開封用ライン８を切断することで開口２４が形成され、また、開閉片２６が形成される。
【００２２】
図８（Ａ）では、開封用ライン８は、ディスク４の左方箇所で左方に凸の二つの頂角が上下に並べらるように４本の直線部８６６が連結されて構成されている。このような開封用ライン８を切断することで開口２４が形成され、また、開閉片２６が形成される。
図８（Ｂ）では、開封用ライン８は、ディスク４の左方箇所で右方に凸の二つの頂角が上下に並べらるように４本の直線部８６８が連結されて構成されている。このような開封用ライン８を切断することで開口２４が形成され、また、開閉片２６が形成される。
図８（Ｃ）では、開封用ライン８は、ディスク４の左方箇所でケース６の左縁に平行して延在する直線部８７０と、直線部８７０の中央において左方に凸の湾曲状に形成された湾曲線部８７２と、直線部８７０の上下端からそれぞれ右方で斜め上方と斜め下方に延在する上下の直線部８７４とで構成されている。このような開封用ライン８を切断することで開口２４が形成され、また、開閉片２６が形成され、湾曲線部８７２で囲まれた部分は開閉片２６のつまみとして機能する。
図８（Ｄ）では、開封用ライン８は、ディスク４の左方箇所でケース６の左縁に平行して延在する直線部８７６と、直線部８７６の中央において右方に凸の湾曲状に形成された湾曲線部８７８と、直線部８７６の上下端からそれぞれ左方で斜め上方と斜め下方に延在する上下の直線部８８０とで構成されている。このような開封用ライン８を切断することで開口２４が形成され、また、開閉片２６が形成され、湾曲線部８７８で囲まれた部分は開閉片２６のつまみとして機能する。
【００２３】
図９（Ａ）では、開封用ライン８は、ディスク４の上方箇所でケース６の上縁に平行する横長の矩形状に形成され、開封用ライン８を切断し、この開封用ライン８で囲まれた矩形部分８８２を取り去ることで横長の開口２４が形成される。
図９（Ｂ）では、開封用ライン８は、ディスク４の上方箇所でケース６の上縁に平行する横長のほぼ矩形状に形成され、開封用ライン８で囲まれた矩形部分８８２の左右の端部が湾曲状になるように形成され、この部分８８２を取り去ることで横長の開口２４が形成される。
図９（Ｃ）では、開封用ライン８は、分断された多数の切れ目で構成され、これら切れ目で囲まれた部分８８４を取り去ると、ディスク４の上方箇所でケース６の上縁に平行する横長の開口２４が形成される。
図９（Ｄ）では、開封用ライン８は、ディスク４の左方箇所でケース６の左縁に平行する縦長の矩形状に形成され、開封用ライン８を切断し、この開封用ライン８で囲まれた矩形部分８８２を取り去ることで縦長の開口２４が形成される。
図９（Ｅ）では、開封用ライン８は、ディスク４の左方箇所でケース６の左縁に平行する縦長のほぼ矩形状に形成され、開封用ライン８で囲まれた矩形部分８８２の上下の端部が湾曲状になるように形成され、この部分８８２を取り去ることで縦長の開口２４が形成される。
図９（Ｆ）では、開封用ライン８は、分断された多数の切れ目で構成され、これら切れ目で囲まれた部分８８４を取り去ると、ディスク４の左方箇所でケース６の左縁に平行する縦長の開口２４が形成される。
【００２４】
次に、第２，第３実施例について説明する。
尚、これら第２，第３実施例において説明は省略するが、前記第１実施例と同様に、ケース６の裏面６０４に接着層１０が形成されると共に切れ目２０が形成され、切れ目２２を有する剥離紙１２が剥離可能に貼着されている。
まず、図１０乃至図１２を参照して第２実施例について説明する。
図１０（Ａ）では、開封用ライン８は、ディスク４の上方箇所でケース６の上縁と平行して延在する上直線部８００２と、ディスク４の下方箇所で下縁と平行して延在する下直線部８００４と、上直線部８００２の右端と下直線部８００４の左端を接続しディスク４の中央孔４Ａ上を通る傾斜直線部８００６とで構成されている。
このような開封用ライン８を切断することで、上直線部８００２の左端と下直線部８００４の左端を結ぶ点線で示す部分を中心として、すなわち、ディスク４の左側に位置する部分を中心として開く左開閉片２６Ａが形成され、また、上直線部８００２の右端と下直線部８００４の右端を結ぶ点線で示す部分を中心として、すなわち、ディスク４の右側に位置する部分を中心として開く右開閉片２６Ｂが形成される。これら左右の開閉片２６Ａ，２６Ｂを前記部分を中心として持ち上げると、上直線部８００２と下直線部８００４の間にディスク４全体が露出する矩形状の開口２４が形成される。
このような実施例によれば、開封用ライン８を切断した後、左右の開閉片２６Ａ，２６Ｂを持ち上げると、ディスク４の姿勢を変えることなく収納された状態の姿勢のまま、すなわち、ディスク４をその厚み方向に移動させることでディスク収納体２から取り出すことができる。
従って、記録情報面をディスク収納体２に接触させずに取り出せ、記録情報面であるディスク４の裏面に傷を付けることなくディスク４を取り出すことができる。
また、傾斜直線部８００６がディスク４の中央孔４Ａ上を通るので、中央孔４Ａ上を通る部分を下に押えつけることで、ディスク４の厚みにより該部分が容易に切断され、開封用ライン８を簡単に切断する上で有利となる。
また、二つの開閉片２６Ａ，２６Ｂを開いてディスク４を取り出すため、すなわち、開封用ライン８を複数回の切断操作で切り取ったのちディスク４を取り出すため、開封中におけるディスク４の落下を防止する上で有利となる。
【００２５】
図１０（Ｂ）では、図１０（Ａ）の前記傾斜直線部８００６に代えて湾曲状の湾曲線部８００８により上直線部８００２の右端と下直線部８００４の左端を接続したもので、他の構成は図１０（Ａ）と同様であり、湾曲線部８００８に代えたことから左右の開閉片２６Ａ，２６Ｂの形状も図１０（Ａ）と若干異なっている。
図１０（Ｃ）では、図１０（Ａ）の上直線部８００２と下直線部８００４に代えてそれぞれ湾曲状の上湾曲線部８０１０と下湾曲線部８０１２にしたもので、他の構成は図１０（Ａ）と同様であり、上湾曲線部８０１０と下湾曲線部８０１２に代えたことから左右の開閉片２６Ａ，２６Ｂの形状も図１０（Ａ）と若干異なっている。
図１０（Ｄ）では、図１０（Ａ）の上直線部８００２と下直線部８００４に代えてそれぞれ湾曲状の上湾曲線部８０１０と下湾曲線部８０１２にし、かつ、前記傾斜直線部８００６に代えて湾曲状の湾曲線部８０１４により上湾曲線部８０１０の右端と下湾曲線部８０１２の左端を接続したもので、このように上湾曲線部８０１０と下湾曲線部８０１２と湾曲線部８０１４に代えたことから左右の開閉片２６Ａ，２６Ｂの形状も図１０（Ａ）と若干異なっている。
【００２６】
図１１（Ａ）では、開封用ライン８は、ディスク４の上方箇所でケース６の上縁と平行して延在する上直線部８０１６と、ディスク４の下方箇所でケース６の下縁と平行して延在する下直線部８０１８と、ディスク４の中央を通り上下に延在して前記上直線部８０１６と下直線部８０１８に接続する縦直線部８０２０とで構成されている。
このような開封用ライン８を切断することで、ディスク４の左側に位置する点線で示す部分を中心として開く左開閉片２６Ａが形成され、また、ディスク４の右側に位置する点線で示す部分を中心として開く右開閉片２６Ｂが形成される。
これら左右の開閉片２６Ａ，２６Ｂを前記部分を中心として持ち上げると、上直線部８０１６と下直線部８０１８の間にディスク４全体が露出する矩形状の開口２４が形成される。
このような実施例によれば、ディスク４をその厚み方向に移動させることでディスク収納体２から取り出すことができ、記録情報面であるディスク４の裏面に傷を付けることなくディスク４を取り出すことができる。
【００２７】
図１１（Ｂ）では、開封用ライン８は、ディスク４の上部外周部上でケース６の上縁と平行して延在する上直線部８０２２と、ディスク４の下部外周部上でケース６の下縁と平行して延在する下直線部８０２４と、ディスク４の中央を通り上下に延在して前記上直線部８０２２と下直線部８０２４に接続する縦直線部８０２６と、前記上直線部８０２２の両端から短い長さでそれぞれ斜め上方に延在する傾斜直線部８０２８と、前記下直線部８０２４の両端から短い長さでそれぞれ斜め下方に延在する傾斜直線部８０３０とで構成されている。
このような開封用ライン８を切断することで、ディスク４の左側に位置する点線で示す部分を中心として開く左開閉片２６Ａが形成され、また、ディスク４の右側に位置する点線で示す部分を中心として開く右開閉片２６Ｂが形成され、更に、ディスク４の上側に位置する点線で示す部分を中心として開く上下方向の幅が短い上開閉片２６Ｃが形成され、また、ディスク４の下側に位置する点線で示す部分を中心として開く上下方向の幅が短い下開閉片２６Ｄが形成されている。
これら左右の開閉片２６Ａ，２６Ｂを前記部分を中心として持ち上げると、ディスク４の上縁部分と下縁部分を除いたディスク４のほぼ大半の部分が露出し、また、ディスク４の上縁部分と下縁部分には斜線で示すように上下の開閉片２６Ｃ，２６Ｄが係止している。
上下の開閉片２６Ｃ，２６Ｄは前記部分を中心として開閉可能であるため、左右の開閉片２６Ａ，２６Ｂを開いた状態でディスク４は持ち上げ可能であり、すなわち、ディスク４をその厚み方向に移動させることでディスク収納体２から取り出すことができ、記録情報面であるディスク４の裏面に傷を付けることなくディスク４を取り出すことができる。
また、上下の開閉片２６Ｃ，２６Ｄは、ビニール等の剛性により係止部としても機能し、開封中におけるディスク４の落下を防止する上で有利となる。
【００２８】
図１１（Ｃ）では、開封用ライン８は、下方に凸の湾曲線で形成され中央部がディスク４の上部を通る上湾曲線部８０３２と、上方に凸の湾曲線で形成され中央部がディスク４の下部を通る下湾曲線部８０３４と、ディスク４の中央を通り上下に延在して前記上湾曲線部８０３２と下湾曲線部８０３４に接続する縦直線部８０３６とで構成されている。
このような開封用ライン８を切断することで、ディスク４の左側に位置する点線で示す部分を中心として開く左開閉片２６Ａが形成され、また、ディスク４の右側に位置する点線で示す部分を中心として開く右開閉片２６Ｂが形成され、更に、ディスク４の上側に位置する点線で示す部分を中心として開く上下方向の幅が短い上開閉片２６Ｃが形成され、また、ディスク４の下側に位置する点線で示す部分を中心として開く上下方向の幅が短い下開閉片２６Ｄが形成されている。これら左右の開閉片２６Ａ，２６Ｂを前記部分を中心として持ち上げると、ディスク４の上部と下部を除いたディスク４のほぼ大半の部分が露出し、また、ディスク４の上部と下部には斜線で示すように上下の開閉片２６Ｃ，２６Ｄが係止している。
上下の開閉片２６Ｃ，２６Ｄは前記部分を中心として開閉可能であるため、左右の開閉片２６Ａ，２６Ｂを開いた状態でディスク４は持ち上げ可能であり、すなわち、ディスク４をその厚み方向に移動させることでディスク収納体２から取り出すことができ、記録情報面であるディスク４の裏面に傷を付けることなくディスク４を取り出すことができる。
また、上下の開閉片２６Ｃ，２６Ｄは、ビニール等の剛性により係止部としても機能し、開封中におけるディスク４の落下を防止する上で有利となる。
【００２９】
図１１（Ｄ）では、開封用ライン８は、ディスク４の上部において下方に凸の鈍角状に交差する二本の直線からなる上直線部８０３８と、ディスク４の下部において上方に凸の鈍角状に交差する二本の直線からなる下直線部８０４０と、ディスク４の中央を通り上下に延在して前記上直線部８０３８と下直線部８０４０に接続する縦直線部８０４２とで構成されている。
このような開封用ライン８を切断することで、ディスク４の左側に位置する点線で示す部分を中心として開く左開閉片２６Ａが形成され、また、ディスク４の右側に位置する点線で示す部分を中心として開く右開閉片２６Ｂが形成され、更に、ディスク４の上側に位置する点線で示す部分を中心として開く上下方向の幅が短い上開閉片２６Ｃが形成され、また、ディスク４の下側に位置する点線で示す部分を中心として開く上下方向の幅が短い下開閉片２６Ｄが形成されている。
これら左右の開閉片２６Ａ，２６Ｂを前記部分を中心として持ち上げると、ディスク４の上縁部分と下縁部分を除いたディスク４のほぼ大半の部分が露出し、また、ディスク４の上縁部分と下縁部分には斜線で示すように上下の開閉片２６Ｃ，２６Ｄが係止している。
上下の開閉片２６Ｃ，２６Ｄは前記部分を中心として開閉可能であるため、左右の開閉片２６Ａ，２６Ｂを開いた状態でディスク４は持ち上げ可能であり、すなわち、ディスク４をその厚み方向に移動させることでディスク収納体２から取り出すことができ、記録情報面であるディスク４の裏面に傷を付けることなくディスク４を取り出すことができる。
また、上下の開閉片２６Ｃ，２６Ｄは、ビニール等の剛性により係止部としても機能し、開封中におけるディスク４の落下を防止する上で有利となる。
【００３０】
図１２（Ａ）では、開封用ライン８は、ディスク４の上部左側からディスク４の中央を通ってディスク４の下部右側に延在する第１傾斜直線部８０４４と、ディスク４の上部右側からディスク４の中央を通ってディスク４の下部左側に延在する第２傾斜直線部８０４６とで構成されている。
このような開封用ライン８を切断することで、ディスク４の上側に位置する点線で示す部分を中心として開く上開閉片２６Ｃと、ディスク４の下側に位置する点線で示す部分を中心として開く下開閉片２６Ｄと、ディスク４の左側に位置する点線で示す部分を中心として開く左開閉片２６Ａと、ディスク４の右側に位置する点線で示す部分を中心として開く右開閉片２６Ｂが形成される。
これら上下左右の開閉片２６Ａ，２６Ｂ，２６Ｃ，２６Ｄを前記部分を中心として持ち上げると、ディスク４が露出し、ディスク４をその厚み方向に移動させることでディスク収納体２から取り出すことができ、記録情報面であるディスク４の裏面に傷を付けることなくディスク４を取り出すことができる。
【００３１】
図１２（Ｂ）では、開封用ライン８は、ディスク４の上部と下部と左部においてそれぞれケース６の外縁に平行に延在する三つの直線部８０４８，８０５０，８０５２により構成されている。
このような開封用ライン８を切断することで、ディスク４の右側に位置する点線で示す部分を中心として開く開閉片２６が形成される。
開閉片２６を前記部分を中心として持ち上げると、ディスク４が露出し、ディスク４をその厚み方向に移動させることでディスク収納体２から取り出すことができ、記録情報面であるディスク４の裏面に傷を付けることなくディスク４を取り出すことができる。
【００３２】
図１２（Ｃ）では、開封用ライン８は、ディスク４の上部の外側に沿って延在する上湾曲線部８０５４と、ディスク４の下部の外側に沿って延在する下湾曲線部８０５６と、ディスク４の中央を通り上下に延在して前記上湾曲線部８０５４と下湾曲線部８０５６に接続する縦直線部８０５８とで構成されている。
また、上下の湾曲線部８０５６，８０５８の長手方向に間隔をおいた２箇所にはそれぞれディスク４の中心側に凸状の湾曲線部が形成され、この湾曲線部によりディスク４の外側の部分を中心として開く四つの係止片２８が形成されている。
このような開封用ライン８を切断することで、ディスク４の左側に位置する点線で示す部分を中心として開く左開閉片２６Ａが形成され、また、ディスク４の右側に位置する点線で示す部分を中心として開く右開閉片２６Ｂが形成され、更に、四つの係止片２８が形成される。
これら左右の開閉片２６Ａ，２６Ｂを前記部分を中心として持ち上げると、斜線で示すように、四つの係止片２８が係止するディスク４のほぼ上半部で左右の外縁部分とディスク４のほぼ下半部で左右の外縁部分を除いたディスク４部分が露出する。
四つの係止片２８はその基部を中心として開閉可能であるため、左右の開閉片２６Ａ，２６Ｂを開いた状態でディスク４は持ち上げ可能であり、すなわち、ディスク４をその厚み方向に移動させることでディスク収納体２から取り出すことができ、記録情報面であるディスク４の裏面に傷を付けることなくディスク４を取り出すことができる。
また、四つの係止片２８は、ビニール等の剛性により係止部としても機能し、開封中におけるディスク４の落下を防止する上で有利となる。
【００３３】
図１２（Ｄ）では、開封用ライン８は、ディスク４の下部を除いた外側に沿って延在する湾曲線部８０６０で構成され、湾曲線部８０６０の長手方向に間隔をおいた３箇所にはそれぞれディスク４の中心側に凸状の湾曲線部が形成され、この湾曲線部によりディスク４の外側の部分を中心として開く三つの係止片２８が形成されている。
このような開封用ライン８を切断することで、ディスク４の下側に位置する点線で示す部分を中心として開く開閉片２６が形成され、また、三つの係止片２８が形成される。
開閉片２６を前記部分を中心として持ち上げると、三つの係止片２８が係止するディスク４の上縁部分と左右縁部分を除いたディスク４部分が露出する。
三つの係止片２８はその基部を中心として開閉可能であるため、開閉片２６を開いた状態でディスク４は持ち上げ可能であり、すなわち、ディスク４をその厚み方向に移動させることでディスク収納体２から取り出すことができ、記録情報面であるディスク４の裏面に傷を付けることなくディスク４を取り出すことができる。
また、三つの係止片２８は、ビニール等の剛性により係止部としても機能し、開封中におけるディスク４の落下を防止する上で有利となる。
【００３４】
次に、図１３乃至図１６を参照して第３実施例について説明する。
図１３（Ａ）では、開封用ライン８は、ディスク４の上部左右から下方に凸の湾曲状に延在しその下部がディスク４の中央孔４Ａを通る湾曲線部８０６２と、湾曲線部８０６２の下部中央から下方に延在する縦直線部８０６４で形成されている。
このような開封用ライン８を切断することで、ディスク４の上側に位置する点線で示す部分を中心として開く上開閉片２６Ｃと、ディスク４のほぼ下半部の左右外縁部分と中心として開く左右の開閉片２６Ａ，２６Ｂが形成される。
開閉片２６Ａ，２６Ｂ，２６Ｃを前記部分を中心として持ち上げると、左右の開閉片２６Ａ，２６Ｂの基部部分が位置するディスク４のほぼ下半部の左右外縁部分を除いたディスク４部分が露出する。
従って、この状態でディスク４のほぼ下半部の左右外縁部分に左右の開閉片２６Ａ，２６Ｂの基部部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４のほぼ下半部の左右外縁部分に左右の開閉片２６Ａ，２６Ｂの基部部分が係止されるので、開封中におけるディスク４の落下を防止する上で有利となる。
図１３（Ｂ）では、湾曲線部８０６６を、図１３（Ａ）の湾曲線部８０６２に較べてその下部をディスク４の中央よりも上方に変位させて形成したもので、これにより左右の開閉片２６Ａ，２６Ｂの形状は図１３（Ａ）の場合に較べて縦長になっている。
図１３（Ｃ）では、湾曲線部８０６８を、図１３（Ａ）の湾曲線部８０６２に較べてその下部をディスク４の中央よりも下方に変位させて形成したもので、これにより左右の開閉片２６Ａ，２６Ｂの形状は図１３（Ａ）の場合に較べて扁平になっている。
【００３５】
図１４（Ａ）では、開封用ライン８は、ディスク４の中央孔４Ａ上において下方に凸状に交差する二本の直線からなる上直線部８０７０と、上直線部８０７０の下部中央からディスク４の中央を通り下方に延在する縦直線部８０７２とで構成されている。
このような開封用ライン８を切断することで、ディスク４の上側に位置する点線で示す部分を中心として開く上開閉片２６Ｃが形成され、ディスク４の左側に位置する点線で示す部分を中心として開く左開閉片２６Ａが形成され、また、ディスク４の右側に位置する点線で示す部分を中心として開く右開閉片２６Ｂが形成される。
上及び左右の開閉片２６Ａ，２６Ｂ，２６Ｃを前記部分を中心として持ち上げると、左右の開閉片２６Ａ，２６Ｂの基部部分が位置するディスク４のほぼ下半部の左右外縁部分を除いたディスク４部分が露出する。
従って、この状態でディスク４のほぼ下半部の左右外縁部分に左右の開閉片２６Ａ，２６Ｂの基部部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４のほぼ下半部の左右外縁部分に左右の開閉片２６Ａ，２６Ｂの基部部分が係止されるので、開封中におけるディスク４の落下を防止する上で有利となる。
図１４（Ｂ）では、上直線部８０７４を、図１４（Ａ）の上直線部８０７０に較べてその下部をディスク４の中央よりも上方に変位させて形成したもので、これにより左右の開閉片２６Ａ，２６Ｂの形状は図１３（Ａ）の場合に較べて若干異なっている。
図１４（Ｃ）では、上直線部８０７６を、図１４（Ａ）の上直線部８０７０に較べてその下部をディスク４の中央よりも下方に変位させて形成したもので、これにより左右の開閉片２６Ａ，２６Ｂの形状は図１３（Ａ）の場合に較べて若干異なっている。
【００３６】
図１５（Ａ）では、開封用ライン８は、ディスク４のほぼ上半部においてディスク４の外側でディスク４の外縁に沿って延在する湾曲線部８０７８と、湾曲線部８０７８の右端からディスク４の下部外周部上を通りディスク４の下方左箇所に斜めに延在する傾斜直線部８０８０で形成されている。
このような開封用ライン８を切断することで、ディスク４のほぼ下半部の左外側に位置する点線で示す部分を中心として開く開閉片２６が形成される。
開閉片２６を前記部分を中心として持ち上げると、ディスク４のほぼ下半部の右外縁部分を除いたディスク４部分が露出する。
従って、この状態でディスク４のほぼ下半部の右外縁部分にケース６の表面部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４のほぼ下半部の右外縁部分にケース６の表面部分が係止されるので、開封中におけるディスク４の落下を防止する上で有利となる。
【００３７】
図１５（Ｂ）では、開封用ライン８は、ディスク４の上方の左右からディスク４のほぼ下半部の左右の外周部上を通りディスク４の下方中央において下方に凸状に交差する二本の傾斜直線部８０８２，８０８４で形成されている。
このような開封用ライン８を切断することで、点線で示すディスク４の上方箇所を中心として開く開閉片２６が形成される。
開閉片２６を前記部分を中心として持ち上げると、ディスク４のほぼ下半部の左右外縁部分を除いたディスク４部分が露出する。
従って、この状態でディスク４のほぼ下半部の左右外縁部分にケース６の表面部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４のほぼ下半部の左右外縁部分にケース６の表面部分が係止されるので、開封中におけるディスク４の落下を防止する上で有利となる。
【００３８】
図１５（Ｃ）では、開封用ライン８は、ディスク４の上方においてケース６の上縁に平行して延在する上直線部８０８６と、ディスク４の左方においてケース６の左縁に平行して延在する縦直線部８０８８で構成されている。
このような開封用ライン８を切断することで、点線で示すディスク４のほぼ中央を斜めに横切る箇所を中心として開く開閉片２６が形成される。
開閉片２６を前記部分を中心として持ち上げると、ディスク４のほぼ下半部で右半部を除いたディスク４部分が露出する。
従って、この状態でディスク４のほぼ下半部で右半部にケース６の表面部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４のほぼ下半部で右半部にケース６の表面部分が係止されるので、開封中におけるディスク４の落下を防止する上で有利となる。
【００３９】
図１６（Ａ）では、開封用ライン８は、ディスク４の左右において上下に延在する左右の縦直線部８０９０，８０９２と、左右の縦直線部８０９０，８０９２の下端からそれぞれディスク４側に延在しディスク４の下部の左右外縁部分を通る横直線部８０９４，８０９４と、両横直線部８０９４，８０９４から下方に凸の湾曲状に形成されその下部がディスク４の下方に位置する湾曲線部８０９６とで構成されている。
このような開封用ライン８を切断することで、点線で示すディスク４の上方箇所を中心として開く開閉片２６が形成される。
開閉片２６を前記部分を中心として持ち上げると、ディスク４の下部の左右外縁部分を除いたディスク４部分が露出する。
従って、この状態でディスク４の下部の左右外縁部分にケース６の表面部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４の下部の左右外縁部分にケース６の表面部分が係止されるので、開封中におけるディスク４の落下を防止する上で有利となる。
図１６（Ｂ）では、図１６（Ａ）の左右の縦直線部８０９０，８０９２と、左右の横直線部８０９４，８０９４と、湾曲線部８０９６とを曲線状の左右二本の曲線部８０９８，８０９８で形成したものであり、これに伴い図１６（Ａ）の場合に較べて開閉片２６の形状も若干異なっている。
【００４０】
図１６（Ｃ）では、開封用ライン８は、ディスク４の下縁部分を除いたディスク４部分の外側に沿って延在する湾曲線部８１００で構成されている。
このような開封用ライン８を切断することで、点線で示すディスク４の下縁箇所を中心として開く開閉片２６が形成される。
開閉片２６を前記部分を中心として持ち上げると、ディスク４の下縁部分を除いたディスク４部分が露出する。
従って、この状態でディスク４の下縁部分にケース６の表面部分が位置し係止されているものの、その面積は斜線で示すように小さいため、ディスク４を斜めに持ち上げることができ、記録情報面であるディスク４の裏面に傷を付けることなくディスク４を取り出すことができる。
また、ディスク４の下縁部分にケース６の表面部分が係止されるので、開封中におけるディスク４の落下を防止する上で有利となる。
【００４１】
【発明の効果】
以上の説明で明らかなように、本発明によれば、ケース製造後にディスクを切れ目からケース内に収納でき、従って、ディスクと切り離してケースのみを製造でき、ディスク収納体のコストダウンを図ることが可能となり、販売する本の部数の多少に拘らず迅速に対応することが可能となる。
また、開封用ラインを切断することでケースに、ディスクのほぼ全体を露出させる開閉片が形成されるので、ディスクをその厚み方向に移動させることで、あるいは、厚み方向に対して交差する方向に移動させることで、記録情報面であるディスクの裏面に傷を付けることなくディスクを取り出せる。
また、開封用ラインを切断することでケースに、ディスクの外縁部分を除いた残りのディスク部分を露出させる開閉片が形成されるので、開封ラインの切断時におけるディスクのディスク収納体からの落下を防止できる。
【図面の簡単な説明】
【図１】（Ａ）乃至（Ｄ）はそれぞれ第１実施例に係るディスク収納体の開封用ラインの説明図である。
【図２】（Ａ）はディスク収納体の裏面の説明図、（Ｂ）は剥離紙の説明図である。
【図３】ディスクが挿入された袋の説明図である。
【図４】（Ａ）乃至（Ｄ）はそれぞれ第１実施例に係るディスク収納体の開封用ラインの説明図である。
【図５】（Ａ）乃至（Ｄ）はそれぞれ第１実施例に係るディスク収納体の開封用ラインの説明図である。
【図６】（Ａ）乃至（Ｄ）はそれぞれ第１実施例に係るディスク収納体の開封用ラインの説明図である。
【図７】（Ａ）乃至（Ｄ）はそれぞれ第１実施例に係るディスク収納体の開封用ラインの説明図である。
【図８】（Ａ）乃至（Ｄ）はそれぞれ第１実施例に係るディスク収納体の開封用ラインの説明図である。
【図９】（Ａ）乃至（Ｆ）はそれぞれ第１実施例に係るディスク収納体の開封用ラインの説明図である。
【図１０】（Ａ）乃至（Ｄ）はそれぞれ第２実施例に係るディスク収納体の開封用ラインの説明図である。
【図１１】（Ａ）乃至（Ｄ）はそれぞれ第２実施例に係るディスク収納体の開封用ラインの説明図である。
【図１２】（Ａ）乃至（Ｄ）はそれぞれ第２実施例に係るディスク収納体の開封用ラインの説明図である。
【図１３】（Ａ）乃至（Ｃ）はそれぞれ第３実施例に係るディスク収納体の開封用ラインの説明図である。
【図１４】（Ａ）乃至（Ｃ）はそれぞれ第３実施例に係るディスク収納体の開封用ラインの説明図である。
【図１５】（Ａ）乃至（Ｃ）はそれぞれ第３実施例に係るディスク収納体の開封用ラインの説明図である。
【図１６】（Ａ）乃至（Ｃ）はそれぞれ第３実施例に係るディスク収納体の開封用ラインの説明図である。
【符号の説明】
２  ディスク収納体
４  ディスク
６  ケース
８  開封用ライン
１０  接着層
１２  剥離紙
２０，２２  切れ目
２４  開口
２６  開閉片
２８  係止片
【図１】
0003624914.tif 000002
【図２】
0003624914.tif 000003
【図３】
0003624914.tif 000004
【図４】
0003624914.tif 000005
【図５】
0003624914.tif 000006
【図６】
0003624914.tif 000007
【図７】
0003624914.tif 000008
【図８】
0003624914.tif 000009
【図９】
0003624914.tif 000010
【図１０】
0003624914.tif 000011
【図１１】
0003624914.tif 000012
【図１２】
0003624914.tif 000013
【図１３】
0003624914.tif 000014
【図１４】
0003624914.tif 000015
【図１５】
0003624914.tif 000016
【図１６】
0003624914.tif 000017